(57)【要約】【課題】隙間から挿入される針金等によっても扉が開放できず、遊技用制御基板等への不正な行為を防止することのできる遊技機用施錠装置を得る。【解決手段】遊技機用施錠装置７において、筺体３にヒンジを介して開閉動自在となったフロントパネル５に設けられ回動軸１１ａに固定されて連動するクランク軸９を有したシリンダー錠１１と、筺体３に上下方向にスライド自在に設けられフロントパネル５に向かって突出する先端Ｔ字形の係止爪２５を突設した筺体側スライド板１３と、フロントパネル５に上下方向にスライド自在に設けられクランク軸９の先端が進入する係合穴３１、係止爪２５が進入して係止する係止穴３３を有したフロントパネル側スライド板１５と、フロントパネル５に設けられフロントパネル５の閉動に伴って筺体側スライド板１３の当接部１３ａに当接して筺体側スライド板１３を上方向へスライドさせる傾斜片３５とを設けた。【選択図】      図２
2004209081.tif 000002
【特許請求の範囲】
【請求項１】
筐体にヒンジを介して開閉動自在となったフロントパネルに設けられ遊技機前後方向の回動中心で回動し、かつ回動軸に固定されて連動するクランク軸を有したシリンダー錠と、
前記筐体に上下方向にスライド自在に設けられ下方向へ付勢されるとともに、前記フロントパネルに向かって突出する先端略Ｔ字形の係止爪を突設した筐体側スライド板と、
前記フロントパネルに上下方向にスライド自在に設けられるとともに、前記クランク軸の先端が角部に進入する係合穴、前記係止爪が進入し前記筐体側スライド板の上方向のスライドで該係止爪と抜脱不能に係止する係止穴を有したフロントパネル側スライド板と、
前記フロントパネルに設けられ、該フロントパネルの閉動に伴って前記筐体側スライド板の当接部に当接して該筐体側スライド板を上方向へスライドさせる傾斜片と、
を具備したことを特徴とする遊技機用施錠装置。
【請求項２】
請求項１記載の遊技機用施錠装置において、
前記筐体側スライド板のスライド方向両端部に、前記係止爪を配設し、
一対の該係止爪に対応させて一対の前記係止穴を前記フロントパネル側スライド板に設けたことを特徴とする遊技機用施錠装置。
【発明の詳細な説明】
【０００１】
【発明の属する技術分野】
本発明は、例えば回胴式遊技機（所謂、パチスロ）に用いて好適な遊技機用施錠装置に関し、特に、扉と筐体との隙間から挿入される針金等による不正行為を防止する改良技術に関する。
【０００２】
【従来の技術】
従来、遊技機の施錠装置として、例えば以下に示す特許文献１に開示されているものがある。これは、図７に示すように、前面枠１００の開放側裏面にシリンダー錠１０１と、該シリンダー錠１０１の錠軸１０２に取付けられたカム板１０３と、上下一対の鉤片１０４，１０４を有する昇降杆１０５とを基枠体１０６を介して取り付けるとともに、外枠１０７の開放側内側面の上下位置に前記鉤片１０４，１０４が係脱する係止金具１０８，１０８を固着し、シリンダー錠１０１の回動操作によりカム板１０３を回動して昇降杆１０５を上下方向へ摺動させるとともに、係止金具１０８，１０８と鉤片１０４，１０４との係合を解除して前面枠１００を解錠するように構成されたものである。
【０００３】
【特許文献１】
実公昭５８−４５３８号公報
【０００４】
【発明が解決しようとする課題】
しかしながら、上記した遊技機用施錠装置は、前面枠１００の開閉端側の裏面に、昇降杆１０５，カム板１０３とを配設し、これらの機構部が前面枠１００の開閉端側の木口側に露出する状態となっていて、昇降杆１０５がカム板１０３だけによって上下摺動して、係止金具１０８に係脱する機構であったため、前面枠１００を閉鎖した場合であっても、前面枠１００と外枠１０７との隙間から針金等を挿入すれば、昇降杆１０５や鉤片１０４を係合解除する方向に直接移動させることも可能で、前面枠１００が開放されてしまい、容易に内部装置（遊技用制御基板等）に触れて不正な行為、悪戯ができ、高い施錠信頼性を得ることができなかった。
【０００５】
本発明は上記状況に鑑みてなされたもので、隙間から挿入される針金等によっても扉が開放できず、遊技用制御基板等への不正な行為を防止することのできる遊技機用施錠装置を提供し、施錠信頼性の向上を図ることを目的とする。
【０００６】
【課題を解決するための手段】
次に、上記の課題を解決するための手段を、実施の形態に対応する図面を参照して説明する。
この発明の請求項１記載の遊技機用施錠装置７は、筐体３にヒンジを介して開閉動自在となったフロントパネル５に設けられ遊技機前後方向の回動中心１７で回動し、かつ回動軸１１ａに固定されて連動するクランク軸９を有したシリンダー錠１１と、
前記筐体３に上下方向にスライド自在に設けられ下方向へ付勢されるとともに、前記フロントパネル５に向かって突出する先端略Ｔ字形の係止爪２５を突設した筐体側スライド板１３と、
前記フロントパネル５に上下方向にスライド自在に設けられるとともに、前記クランク軸９の先端が角部３１ａに進入する係合穴３１、前記係止爪２５が進入し前記筐体側スライド板１３の上方向のスライドで該係止爪２５と抜脱不能に係止する係止穴３３を有したフロントパネル側スライド板１５と、
前記フロントパネル５に設けられ、該フロントパネル５の閉動に伴って前記筐体側スライド板１３の当接部１３ａに当接して該筐体側スライド板１３を上方向へスライドさせる傾斜片３５と、
を具備したことを特徴とする。
【０００７】
この遊技機用施錠装置７では、係止爪２５を係止穴３３に係止した筐体側スライド板１３の当接部１３ａが傾斜片３５に当接して係止解除方向へのスライドが規制され、フロントパネル側スライド板１５が係合穴３１を介してクランク軸９にロックされる。すなわち、フロントパネル側スライド板１５は、クランク軸９が係合穴３１の角部３１ａに進入しているので、シリンダー錠１１が解錠回転されなければ、スライドが不能となる。従って、筐体３とフロントパネル５との隙間から針金等を挿入しても、筐体側スライド板１３は傾斜片３５にスライドが規制され、フロントパネル側スライド板１５は係合穴３１を介してクランク軸９にスライドが規制されるので、係止爪２５と係止穴３３との係止を直接に動かして解除することができず、このような不正行為によるフロントパネル５の解錠が阻止される。また、フロントパネル５を閉動することにより、係止爪２５が係止穴３３に進入した後、係止爪２５を有する筐体側スライド板１３の当接部１３ａが傾斜片３５に当接して上側へスライドして、係止爪２５と係止穴３３とが抜脱不能となるので、フロントパネル５を閉動するのみでフロントパネル５を施錠することが可能となる。
【０００８】
請求項２記載の遊技機用施錠装置７は、請求項１記載の遊技機用施錠装置７において、
前記筐体側スライド板１３のスライド方向両端部に、前記係止爪２５を配設し、
一対の該係止爪２５に対応させて一対の前記係止穴３３を前記フロントパネル側スライド板１５に設けたことを特徴とする。
【０００９】
この遊技機用施錠装置７では、筐体側スライド板１３のスライド方向両端部に係止爪２５が突設され、この一対の係止爪２５に対応させて一対の係止穴３３がフロントパネル側スライド板１５に設けられるので、フロントパネル５を閉鎖すると、一対の係止爪２５が、一対の係止穴３３にロックされることとなる。従って、一対の係止爪２５と一対の係止穴３３とが同時に係止・係止解除され、フロントパネル５と筐体３とが二組の係止爪２５及び係止穴３３で施錠可能となり、フロントパネル５の施錠信頼性が高まる。
【００１０】
【発明の実施の形態】
以下、本発明に係る遊技機用施錠装置の好適な実施の形態を図面を参照して詳細に説明する。
図１は本発明に係る遊技機用施錠装置の施錠状態の側面図、図２は図１の分解斜視図、図３は図１に示した係止爪及び係止穴の分解斜視図である。
【００１１】
図１に示すように、例えば回胴式遊技機である所謂、パチスロ等の遊技機１は、ヒンジ（図示せず）によって筐体３に対して開閉自在となった扉であるフロントパネル５を有している。フロントパネル５は、図示しないが、複数の操作スイッチや、筐体３に設けた回胴を目視可能とする窓部等を有している。遊技機１は、上記の回胴を回転する回転制御装置（図示せず）、操作スイッチ、遊技媒体払出し装置（図示せず）や、これらと電気的に接続され、回胴の回転や遊技媒体払出し数等を制御する遊技用制御基板等（図示せず）を筐体３に備えている。遊技機１は、これらの内部装置が、フロントパネル５を筐体３に対して閉鎖することにより外部から覆われている。
【００１２】
本実施の形態による遊技機用施錠装置７は、筐体３に対してフロントパネル５を施解錠するためのものである。遊技機用施錠装置７は、クランク軸９を有したシリンダー錠１１と、筐体側スライド板１３と、フロントパネル側スライド板１５とを主要な構成要素として有している。
【００１３】
フロントパネル５は、図示しないヒンジを介して左右方向の一端側が筐体３に回動自在に支持され、左右方向の他端側が筐体３に対して開閉動される。シリンダー錠１１は、このフロントパネル５の開閉動される他端側にフレーム１２を介して取付けられ、鍵穴１１ａをフロントパネル５の前面に表出させている。つまり、シリンダー錠１１は、遊技機１の前後方向の回動中心１７（図１参照）で回動する。クランク軸９は、シリンダー錠１１の回動軸１１ｂに基端９ａが固定され、クランク状に折り曲げられた先端軸９ｂが基端９ａに対して偏芯している。クランク軸９は、先端軸９ｂが筐体３に向かって突出している。
【００１４】
筐体側スライド板１３は、断面略Ｌ字形の上下方向に延在する長尺材で、遊技機１の側面と平行な側板部１３ｂに、略へ字形状の曲穴２１ａ，２１ｂを上下に一対形成している。この曲穴２１ａ，２１ｂのそれぞれには筐体３に固定したガイドピン２３，２３が挿入され、ガイドピン２３，２３はフランジ状の頭部を有し曲穴２１ａ，２１ｂから抜脱不能となっている。筐体側スライド板１３は、ガイドピン２３，２３に対して曲穴２１ａ，２１ｂを介してスライドすることで、上下方向かつ遊技機１の前後方向にスライド移動するようになっている。
【００１５】
この筐体側スライド板１３は、自重により、下方向へ付勢される。但し、自重により下側のスライド位置に配置されるのは、フロントパネル側スライド板１５と非当接状態の時である。すなわち、フロントパネル側スライド板１５と当接状態の時には、後に詳述するように、フロントパネル側スライド板１５の傾斜片３５に当接して図１に示すように押し上げられた状態となっている。
なお、この筐体側スライド板１３は、バネなどの付勢手段を設けることで、下方向に付勢されるものであってもよい。
【００１６】
筐体側スライド板１３にはフロントパネル５に向かって突出する先端略Ｔ字形の係止爪２５，２５を上下に一対突設している。係止爪２５は、図３に示すように、平面視でＴ字形となるように板面が水平となって突出している。この係止爪２５は、例えば筐体側スライド板１３の遊技機１の前面と平行な対面部を切り起こし加工することにより形成することができる。
【００１７】
一方、フロントパネル側スライド板１５は、断面略Ｌ字形の上下方向に延在する長尺材で、遊技機１の側面と平行な側板部１５ａに長穴２７ａ，２７ｂを上下に一対形成している。この長穴２７ａ，２７ｂのそれぞれにはフロントパネル５固設されるフレーム１２に固定したガイドピン２９，２９が挿入され、ガイドピン２９，２９はフランジ状の頭部を有し長穴２７ａ，２７ｂから抜脱不能となっている。フロントパネル側スライド板１５は、ガイドピン２９，２９に対して長穴２７ａ，２７ｂを介してスライドすることで、フレーム１２に対して上下にスライド移動するようになっている。
【００１８】
フロントパネル側スライド板１５の遊技機１の前面と平行な対面部１５ｂの略中央部には、角部３１ａを有する略三角形状の係合穴３１を形成している。この係合穴３１の角部３１ａには、シリンダー錠１１のクランク軸９の先端である先端軸９ｂが進入するようになっている。従って、クランク軸９が角部３１ａに進入したフロントパネル側スライド板１５は、上下方向のスライドが規制され、クランク軸９の回動、すなわち、シリンダー錠１１の施解錠操作時の回動のみによって、フレーム１２に対して上下方向へスライドすることとなる。
【００１９】
フロントパネル側スライド板１５の対面部１５ｂには、係止爪２５に対応する位置に、係止穴３３を形成している。係止穴３３は、図３に示すように、上部の小穴部３３ａと、下部の拡幅部３３ｂとからなる略逆Ｔ字形に穿設されている。この係止穴３３は、拡幅部３３ｂに対して係止爪２５の進入が可能となり、先頭部２５ａを拡幅部３３ｂに挿入した状態で、係止穴３３と係止爪２５とが相対移動して、係止爪２５が小穴部３３ａに配置されると、係止爪２５の抜けが規制されるようになっている。
【００２０】
フレーム１２には、筐体３に向かって突出し、突出方向に下り勾配の傾斜面３５ａを有した傾斜片３５を突設している。この傾斜片３５は、フロントパネル５を閉動すると、筐体側スライド板１３の当接部１３ａに当接し、傾斜面３５ａを摺接することで、フロントパネル５の閉動に伴って筐体側スライド板１３を上方向へスライドさせるようになっている。この結果、フロントパネル５の閉鎖時には、図１に示すように、筐体側スライド板１３は、傾斜片３５に当接して上方のスライド位置に配置された状態となる。
なお、本実施の形態では、フレーム１２を、フロントパネル側スライド板１５と略同等の長さに形成しており、傾斜片３５の突設位置を、図１に示すように、フレーム１２の下端とし、筐体側スライド板１３の当接部１３ａを下端としてそれぞれ構成したが、傾斜片３５及び当接部１３ａは、これらフレーム１２，筐体側スライド板１３の長手方向における何れの位置であっても構成可能であり、また複数で構成することとしてもよい。
【００２１】
また、フロントパネル側スライド板１５の係止穴３３の近傍には、小穴部３３ａを挟んで左右に、一対の傾斜台３９，３９を突設している。傾斜台３９，３９は、図３に示すように、小穴部３３ａから拡幅部３３ｂへ向かって下り勾配となる傾斜レール３９ａを有している。傾斜台３９，３９は、拡幅部３３ｂに挿入され、小穴部３３ａへ移動する係止爪２５の先頭部２５ａに摺接することで、フロントパネル側スライド板１５と筐体側スライド板１３とを引き寄せる働きを有する。
【００２２】
次に、上記の構成を有する遊技機用施錠装置の作用を説明する。
図４は図１に示した遊技機用施錠装置の解錠時の側面図、図５は図１に示した遊技機用施錠装置のフロントパネル閉動時の側面図、図６は施錠時を（ａ）、解錠時を（ｂ）に表した係止爪及び係止穴の動作説明図である。
図１に示すように、フロントパネル５の施錠時、遊技機用施錠装置７は、シリンダー錠１１の施錠位置にクランク軸９が配置され、その結果、係合穴３１の角部３１ａを介してフロントパネル側スライド板１５が下側のスライド位置となっている。
【００２３】
下側にスライドされたフロントパネル側スライド板１５の係止穴３３には、筐体側スライド板１３の係止爪２５が進入し、同時に、筐体側スライド板１３は、当接部１３ａが傾斜片３５に当接して、上側のスライド位置に配置されている。これにより、筐体側スライド板１３の係止爪２５は、係止穴３３の小穴部３３ａへ配置され、フロントパネル側スライド板１５からの抜脱が規制されている。つまり、フロントパネル５と筐体３とは、離反不能にロックされている。
【００２４】
また、この際、図６（ａ）に示すように、係止爪２５が傾斜台３９，３９に乗り上げていることで、フロントパネル側スライド板１５と筐体側スライド板１３とは、相互に引き寄せられ、その結果、フロントパネル５がガタツキなく筐体３側へと閉め付けられている。
【００２５】
この施錠状態においては、フロントパネル側スライド板１５は、係合穴３１に進入したクランク軸９によってスライドが不能となり、筐体側スライド板１３は、傾斜片３５に当接部１３ａが当接することで下方へのスライドが不能となっている。すなわち、フロントパネル側スライド板１５又は筐体側スライド板１３を直接スライドすることにより係止爪２５と係止穴３３との係止を解除することはできず、シリンダー錠１１の解錠操作のみによって係止解除が可能となっている。
【００２６】
一方、図４に示すように、シリンダー錠１１を解錠操作すると、クランク軸９が回転して、フロントパネル側スライド板１５がフレーム１２に対して上方へとスライドされる。すると、図６（ｂ）に示すように、係止穴３３の拡幅部３３ｂが係止爪２５に一致し、係止爪２５は係止穴３３から抜脱可能となる。この状態で、フロントパネル５は、手による開放が可能となる。
【００２７】
フロントパネル５が開放されると、傾斜片３５に当接部１３ａが当接されていた筐体側スライド板１３は、規制がなくなり、自重により下方へとスライドする。また、開放されたフロントパネル５からは、合鍵４１がシリンダー錠１１から抜かれる。この際、シリンダー錠１１は、再び解錠時の逆方向で回転された後、合鍵４１が抜かれる。従って、この回転操作により、クランク軸９は、再びフロントパネル側スライド板１５を下方のスライド位置へと移動させる。
【００２８】
これにより、筐体側スライド板１３とフロントパネル側スライド板１５とは、ともに下側のスライド位置に配置されたことになり、係止穴３３の拡幅部３３ｂに、係止爪２５が一致する状態となる。
【００２９】
この状態から、図５に示すように、フロントパネル５が閉動されると、先ず、係止爪２５が拡幅部３３ｂに進入する。さらに、フロントパネル５が閉動されると、傾斜片３５が筐体側スライド板１３の当接部１３ａを押し上げ、筐体側スライド板１３が上方へとスライドする。すると、筐体側スライド板１３の係止爪２５が、フロントパネル側スライド板１５の係止穴３３の小穴部３３ａへと移動され、図６（ａ）及び図１に示すように再び傾斜台３９，３９に係止爪２５が係止して、フロントパネル５が筐体３に施錠状態となる。
【００３０】
この遊技機用施錠装置７によれば、係止爪２５を係止穴３３に係止した筐体側スライド板１３が傾斜片３５に当接して係止解除方向へのスライドが規制され、フロントパネル側スライド板１５が係合穴３１を介してクランク軸９にロックされる。すなわち、フロントパネル側スライド板１５は、クランク軸９が係合穴３１の角部３１ａに進入しているので、シリンダー錠１１が解錠回転されなければ、スライドが不能となる。従って、筐体３とフロントパネル５との隙間から針金等を挿入しても、筐体側スライド板１３は傾斜片３５によってスライドが規制され、フロントパネル側スライド板１５は係合穴３１を介してクランク軸９にスライドが規制されるので、係止爪２５と係合穴３１との係止を直接に動かして解除することができず、このような不正行為によるフロントパネルの解錠が阻止される。
【００３１】
また、フロントパネル５を閉動することにより、係止爪２５が係止穴３１に進入した後、係止爪２５を有する筐体側スライド板１３が傾斜片３５に当接して上側へスライドして、係止爪２５と係止穴３１とが抜脱不能となるので、フロントパネル５を閉動するのみでフロントパネル５を施錠することが可能となる。
【００３２】
また、係止の解除が、フロントパネル側スライド板１５を上方へスライドするのみで可能となるので、解錠時のキー操作力を軽くすることができる。
さらに、シリンダー錠１１，フロントパネル側スライド板１５，筐体側スライド板１３及び傾斜片３５で構成できるので、部品点数が少なく、簡素な構造とすることができ、また、これにより製造コストを安価にできる。
【００３３】
また、フロントパネル側スライド板１５と筐体側スライド板１３との係止構造であるため、これら長尺部材の長さを自由に変えることができ、種々の高さ寸法の遊技機１に適用可能となる。
【００３４】
そして、筐体側スライド板１３のスライド方向両端部に係止爪２５が突設され、この一対の係止爪２５に対応させて一対の係止穴３３がフロントパネル側スライド板１５に設けられるので、フロントパネル５を閉鎖すると、一対の係止爪２５が、一対の係止穴３３にロックされることとなる。従って、一対の係止爪２５と一対の係止穴３３とが同時に係止／係止解除され、フロントパネル５と筐体３とが二組の係止爪２５及び係止穴３３で施錠可能となり、フロントパネル５の施錠信頼性を高めることができる。
【００３５】
なお、上記の実施の形態では、係止穴３３，係止爪２５を、フロントパネル側スライド板１５，筐体側スライド板１３の上下二箇所に配設する場合を例に説明したが、本発明に係る遊技機用施錠装置は、係止部を一箇所としてもよく、また、二箇所以上配設するものであってもよい。
【００３６】
また、シリンダー錠１１は、解錠方向と反対方向に回転することで、内部装置（遊技用制御基板等）のリセット操作を実行するように構成されている。
【００３７】
さらに、上記の遊技機用施錠装置７は、フロントパネル５のみを筐体３に対して開閉する遊技機１の場合を例に説明したが、本発明に係る遊技機用施錠装置は、この他、例えばフロントパネル５の前面に、さらに開閉自在な前面扉を有する構造の遊技機に用いられるものであってもよい。この場合、シリンダー錠１１は、別途の前面扉用施錠機構を付加することで、一方の回転でフロントパネル５を解錠し、他方の回転で前面扉を解錠する構成とすることが可能となる。
【００３８】
【発明の効果】
以上説明したように、本発明に係る請求項１記載の遊技機用施錠装置によれば、係止爪を有する筐体側スライド板を筐体に設け、係止爪に係合する係止穴を有するとともに、フロントパネルの閉動で筐体側スライド板を係止方向へスライドさせる傾斜片をフロントパネルに設け、フロントパネル側スライド板をシリンダー錠によって上下スライドさせて施解錠を可能にしたので、例えば、筐体とフロントパネルとの隙間から針金等を挿入しても、フロントパネル側スライド板はクランク軸にスライドが規制され、筐体側スライド板は傾斜片にスライドが規制され、フロントパネル側スライド板又は筐体側スライド板のいずれも直接に動かして解除することができず、このような不正行為によるフロントパネルの解錠を阻止することができる。また、フロントパネルを閉動することにより、傾斜片に筐体側スライド板が当接して係止方向にスライドするので、フロントパネルを閉動するのみでフロントパネルを施錠することができる。この結果、操作性を低下させることなく、施錠信頼性を向上させることができる。また、主要部をフロントパネル側スライド板と筐体側スライド板と傾斜片の三部品で構成できるので、部品点数を少なくかつ簡素な構造として製作コストも安価にすることができる。
【００３９】
請求項２記載の遊技機用施錠装置によれば、筐体側スライド板のスライド方向両端部に係止爪を配設し、この一対の係止爪に対応させて一対の係止穴をフロントパネル側スライド板に設けたので、一対の係止爪と一対の係止穴とが同時に係止／係止解除され、フロントパネルと筐体とが二組の係止爪及び係止穴で施錠可能となり、フロントパネルの施錠信頼性を向上させることができる。
【図面の簡単な説明】
【図１】本発明に係る遊技機用施錠装置の施錠状態の側面図である。
【図２】図１の分解斜視図である。
【図３】図１に示した係止爪及び係止穴の分解斜視図である。
【図４】図１に示した遊技機用施錠装置の解錠時の側面図である。
【図５】図１に示した遊技機用施錠装置のフロントパネル閉動時の側面図である。
【図６】施錠時を（ａ）、解錠時を（ｂ）に表した係止爪及び係止穴の動作説明図である。
【図７】従来の遊技機用施錠装置の斜視図である。
【符号の説明】
１…遊技機
３…筐体
５…フロントパネル
７…遊技機用施錠装置
９…クランク軸
１１…シリンダー錠
１１ｂ…回動軸
１３…筐体側スライド板
１３ａ…当接部
１５…フロントパネル側スライド板
１７…回動中心
２５…係止爪
３１…係合穴
３１ａ…角部
３３…係止穴
３５…傾斜片
【図１】
2004209081.tif 000003
【図２】
2004209081.tif 000004
【図３】
2004209081.tif 000005
【図４】
2004209081.tif 000006
【図５】
2004209081.tif 000007
【図６】
2004209081.tif 000008
【図７】
2004209081.tif 000009